【手続補正書】
【提出日】平成19年8月28日(2007.8.28)
【手続補正１】
【補正対象書類名】明細書
【補正対象項目名】特許請求の範囲
【補正方法】変更
【補正の内容】
【特許請求の範囲】
【請求項１】
合成樹脂（Ａ）の１００部に対し、下式１で表されるアルコキシシラン及び／又は下式１で表されるアルコキシシランの縮合物（Ｂ）の０．１〜５０部、下式２で表されるアルコキシシラン及び／又は下式２で表されるアルコキシシランの縮合物（Ｃ）の０．１〜５０部、及び下式３で表されるアルコキシシラン及び／又は下式３で表されるアルコキシシランの縮合物（Ｄ）の０〜５０部、を含有することを特徴とする水性塗料用組成物。
（Ｒ1）aＳｉ（ＯＲ2）4-a  式１
（Ｒ3）bＳｉ（ＯＲ4）4-b  式２
（Ｒ5）cＳｉ（ＯＲ6）4-c  式３
ただし、式１において、ａは０〜３の整数を、Ｒ1は１価有機基を、Ｒ2は１価有機基又は水素原子を表し、Ｒ1及びＲ2からなる群から選ばれる１つ以上は、含フッ素基と親水性基とを有する１価有機基である。式２において、ｂは０〜３の整数を、Ｒ3は１価有機基を、Ｒ4は１価有機基又は水素原子を表し、Ｒ3及びＲ4からなる群から選ばれる１つ以上は親水性基を有し、含フッ素基を有さない１価有機基である。式３において、ｃは０〜３の整数を、Ｒ5は親水性基を有さない１価有機基を、Ｒ6は親水性基を有さない１価有機基又は水素原子を表す。
【請求項２】
式１において、Ｒ1及びＲ2からなる群から選ばれる１つ以上が、下式４で表される１価有機基である請求項１に記載の水性塗料用組成物。
Ｒf−Ｘ−Ｙ−Ｚ−  式４
ただし、式中、Ｒfは１価含フッ素基を、Ｙは２価親水性基を、Ｘ及びＺは結合基又は単結合を表す。
【請求項３】
式２中の親水性基がポリオキシアルキレン鎖である請求項１又は２に記載の水性塗料用組成物。
【請求項４】
式２において、ｂが０又は１であり、Ｒ３がポリオキシアルキレン鎖を有し、含フッ素有機基を含まない基であり、Ｒ４がアルキル基、アルコキシアルキル基又は水素原子である請求項１、２又は３に記載の水性塗料用組成物。
【請求項５】
式３において、ｃが０又は１であり、Ｒ６が、アルキル基、アルコキシアルキル基、含フッ素アルキル基又は水素原子である請求項１、２、３又は４に記載の水性塗料用組成物。
【請求項６】
式１で表されるアルコキシシランが、ａが１であり、Ｒ1がｎ−Ｃ8Ｆ17−とポリオキシエチレン鎖とを含む１価有機基であり、Ｒ2がメチル基及び／又はエチル基であるアルコキシシラン；ａが１であり、Ｒ1がＣＦ3（ＣＦ2）2ＯＣＦ（ＣＦ3）ＣＦ2−とポリオキシエチレン鎖とを含む１価有機基であり、Ｒ2がメチル基／又はエチル基であるアルコキシシラン；ａが０であり、Ｒ2の１つがｎ−Ｃ8Ｆ17−とポリオキシエチレン鎖とを含む１価有機基であり、他のＲ2がメチル基／又はエチル基であるアルコキシシラン；又は、ａが１であり、Ｒ1がメチル基であり、Ｒ2の１つがｎ−Ｃ8Ｆ17−とポリオキシエチレン鎖とを含む１価有機基であり、他のＲ2がメチル基／又はエチル基であるアルコキシシランであり、
式２で表されるアルコキシシランが、ｂが１であり、Ｒ3がポリオキシエチレン鎖を有する１価有機基であり、Ｒ4がメチル基及び／又はエチル基であるアルコキシシランであり、
式３で表されるアルコキシシランが、ｃが０であり、Ｒ6がメチル基及び／又はエチル基であるアルコキシシラン；又は、ｃが０であり、Ｒ6がメチル基、エチル基及び２−ペルフルオロアルキルエチル基からなる群から選ばれる基であるアルコキシシランである請求項１〜５のいずれかに記載の水性塗料用組成物。
【請求項７】
式１で表されるアルコキシシラン及び／又は式１で表されるアルコキシシランの縮合物、式２で表されるアルコキシシラン及び／又は式２で表されるアルコキシシランの縮合物、及び式３で表されるアルコキシシラン及び／又は式３で表されるアルコキシシランの縮合物から選ばれる２種以上を撹拌混合した成分を含む請求項１〜６のいずれかに記載の水性塗料用組成物。
【請求項８】
請求項１〜７のいずれかに記載の水性塗料用組成物を含有することを特徴とする塗料。
【請求項９】
請求項８に記載の塗料を被塗装物に塗装することを特徴とする塗装方法。
【請求項１０】
請求項８に記載の塗料から形成された塗膜を物品表面に有することを特徴とする塗装物品。
【手続補正２】
【補正対象書類名】明細書
【補正対象項目名】０００８
【補正方法】変更
【補正の内容】
【０００８】
【課題を解決するための手段】
本発明は、合成樹脂（Ａ）の１００部に対し、下式１で表されるアルコキシシラン及び／又は下式１で表されるアルコキシシランの縮合物（Ｂ）の０．１〜５０部、下式２で表されるアルコキシシラン及び／又は下式２で表されるアルコキシシランの縮合物（Ｃ）の０．１〜５０部、下式３で表されるアルコキシシラン及び／又は下式３で表されるアルコキシシランの縮合物（Ｄ）の０〜５０部、を含有することを特徴とする水性塗料用組成物を提供する。
（Ｒ1）aＳｉ（ＯＲ2）4-a  式１
（Ｒ3）bＳｉ（ＯＲ4）4-b  式２
（Ｒ5）cＳｉ（ＯＲ6）4-c  式３
ただし、式１において、ａは０〜３の整数を、Ｒ1は１価有機基を、Ｒ2は１価有機基又は水素原子を表し、Ｒ1及びＲ2からなる群から選ばれる１つ以上は、含フッ素基と親水性基とを有する１価有機基である。式２において、ｂは０〜３の整数を、Ｒ3は１価有機基を、Ｒ4は１価有機基又は水素原子を表し、Ｒ3及びＲ4からなる群から選ばれる１つ以上は親水性基を有し、含フッ素基を有さない１価有機基である。式３において、ｃは０〜３の整数を、Ｒ5は親水性基を有さない１価有機基を、Ｒ6は親水性基を有さない１価有機基又は水素原子を表す。
【手続補正３】
【補正対象書類名】明細書
【補正対象項目名】０００９
【補正方法】変更
【補正の内容】
【０００９】
また、前記水性塗料用組成物を含有することを特徴とする塗料、前記塗料を被塗装物に塗装することを特徴とする塗装方法、及び、前記塗料を塗装することを特徴とする塗装物品、を提供する。
【手続補正４】
【補正対象書類名】明細書
【補正対象項目名】００３１
【補正方法】変更
【補正の内容】
【００３１】
特に、１価含フッ素基がポリフルオロアルキル基であり、かつ２価親水性基がポリオキシアルキレン鎖であることが好ましく、このような１価含フッ素基と２価親水性基とを有する１価有機基の具体例としては、以下のものが挙げられる。ただし、Ｃ4Ｆ9、Ｃ6Ｆ13、Ｃ8Ｆ17、Ｃ10Ｆ21、Ｃ2Ｈ4、Ｃ4Ｈ8は直鎖構造、Ｃ3Ｈ6はＣＨ2ＣＨ（ＣＨ3）の分岐鎖構造、を表し、以下同様である。
【手続補正５】
【補正対象書類名】明細書
【補正対象項目名】００３４
【補正方法】変更
【補正の内容】
【００３４】
Ｒ2が含フッ素基と親水性基とを有する１価有機基ではない場合、Ｒ2は、炭素数１〜１０の１価有機基であることが好ましい。該Ｒ2としては、アルキル基又はアルコキシアルキル基が好ましく、特にメチル基、エチル基、プロピル基、ブチル基のような炭素数１〜６のアルキル基、及び２−メトキシエチル基等の炭素数１〜６のアルコキシアルキル基がより好ましい。また、Ｒ2が分子中に２つ以上含まれる場合には、Ｒ2は同一でもよく、異なっていてもよい。
【手続補正６】
【補正対象書類名】明細書
【補正対象項目名】００４６
【補正方法】変更
【補正の内容】
【００４６】
式３におけるＲ6は親水性基を有さない１価有機基又は水素原子を表す。１価有機基としては、アルキル基、アルコキシアルキル基又は含フッ素アルキル基が好ましく、メチル基、エチル基、プロピル基、ブチル基等の炭素数１〜６のアルキル基、メトキシエチル基等の炭素数１〜６のアルコキシアルキル基、ＣＦ3ＣＨ2−、ＣＦ3ＣＨ2ＣＨ2−、Ｈ（ＣＦ2）2ＣＨ2−、ＣＦ3ＣＦ2ＣＨ2−、ＣＦ3ＣＦ2ＣＨ2ＣＨ2−等の炭素数１〜６の含フッ素アルキル基がさらに好ましい。Ｒ6が分子中に２つ以上まれる場合には、Ｒ6は同一でもよく、異なっていてもよい。